(57)【要約】【課題】ウォータガロンボトルを上下逆向きにして飲料水供給サーバの嵌合受部に保持させた際に、該ボトルのキャップ内から飲料水中に天然鉱物粒を供給して該飲料水を高機能水にさせる、ウォータガロンボトルの天然鉱物粒供給構造と、この供給構造の一部を構成する天然鉱物粒収納容器を提供すること。【解決手段】ウォータガロンボトル２のボトル口部２ａに被着されるボトルキャップ３の内側に吐水用の内筒部４ｂを設け、内筒部４ｂの後端口には底蓋５が押込み嵌挿され、内筒部４ｂの内部空間に、天然鉱物粒Ｍを内部に収納した水の出入を自由にさせる多孔又は網目を有する天然鉱物粒収納容器１０が配されて、ウォータガロンボトル２を上下逆向きにして飲料水供給サーバの嵌合受部２１に保持させた際に、天然鉱物粒収納容器１０がウォータガロンボトル２内の飲料水Ｗの中に押出供給されて、前記天然鉱物粒Ｍが飲料水Ｗに接触し得る構造にした。【選択図】図１
0003153343.tif 000002
【実用新案登録請求の範囲】
【請求項１】
ウォータガロンボトルを上下逆向きにして飲料水供給サーバの嵌合受部に保持させた際に、該ボトル内の飲料水中に天然鉱物粒を供給し得るウォータガロンボトルの天然鉱物供給構造であって、
前記ウォータガロンボトルのボトル口部に被着されるボトルキャップは、ボトル口部に被着される外壁部の前端面中央から後方に向けて吐水用の内筒部を有するボトルキャップ本体と、該内筒部の後端口に後方から押込み嵌挿された底蓋又は底栓とを主要構成部材として成り、
該内筒部の出口に相当する前記ボトルキャップ前端面中央に形成された開口部は、シール材又はシュリンクフィルムで開封可能に封止され、
前記前記天然鉱物粒を内部に収納した水の出入を自由にさせる多孔又は網目を有する天然鉱物粒収納容器が、前記シール材又はシュリンクフィルムと前記底蓋により両端部が封止された前記内筒部内に配されて、
該シール材又はシュリンクフィルムを開封して前記ウォータガロンボトルを前記嵌合受部に保持させた際に、該嵌合受部内に設けられている開蓋部材が前記内筒部内に突入して、前記容器又は袋体が前記底蓋とともに、前記ウォータガロンボトル内の飲料水中に押出供給されて、前記天然鉱物粒が該飲料水に接触し得る構造されていることを特徴とするウォータガロンボトルの天然鉱物粒供給構造。
【請求項２】
前記天然鉱物粒は、マグネシウム鉱物粒、又はマグネシウム鉱物粒を主材料とした複数種類の天然鉱物粒である、請求項１に記載のウォータガロンボトルの天然鉱物粒供給構造。
【請求項３】
請求項１又は２に記載のウォータガロンボトルの天然鉱物粒供給構造において用いられる前記天然鉱物粒収納容器であって、使用済の空になった前記ウォータガロンボトルの回収後、前記天然鉱物粒を未使用のものと交換したり追加補充等をしたりして、繰り返し再収納可能となるように、片側が開口した容器本体と該開口を閉じる蓋部材とを具備していることを特徴とする天然鉱物粒収納容器。
【請求項４】
前記内筒部内に押圧止着させる弾撥部材を更に具備している、請求項３に記載の天然鉱物粒収納容器。
【請求項５】
請求項１又は２に記載のウォータガロンボトルの天然鉱物粒供給構造において用いられる前記天然鉱物粒収納容器であって、前記底蓋に一体となって組み付けられる構造を有していることを特徴とする天然鉱物粒収納容器。
【請求項６】
請求項１又は２に記載のウォータガロンボトルの天然鉱物粒供給構造において用いられる前記天然鉱物粒収納容器であって、紙繊維又は合成樹脂繊維による通水性を有する織布又は不織布製による袋状の収納容器であることを特徴とする天然鉱物粒収納容器。
【考案の詳細な説明】
【技術分野】
【０００１】  本考案は、ウォータガロンボトルを上下逆向きにして飲料水供給サーバの嵌合受部に保持させた際に、該ボトルのキャップ内から飲料水中に天然鉱物粒を供給して該飲料水を高機能水にさせる、ウォータガロンボトルの天然鉱物粒供給構造と、この供給構造の一部を構成する天然鉱物粒収納容器に関し、好適とされる天然鉱物粒にはマグネシウム粒が挙げられる。
【背景技術】
【０００２】  天然水やミネラルウォータなどの飲料水は、個人レベルではペットボトルに充填されたものが使用されるが、小規模事業所やホテル等の施設では、飲用される機会が多いため、大型の飲料水容器であるウォータガロンボトルに充填された飲料水を、ウォータサーバを利用して各個人のカップや紙カップに供給する事例が数多く見られるようになってきた。
例えば、特許文献１に見られるように、ウォータガロンボトル内に充填されている飲料水は、ウォータガロンボトルを上下逆向きにしてウォータサーバの嵌合受部に保持させることにより、ウォータサーバを介して、適量ずつ供給される。【０００３】  また、特許文献１によれば、ウォータサーバのウォータタンク内に、マグネシウム粒からなる分子水素発生源が配置されて、ウォータガロンボトル内の飲料水がウォータタンク内を流通する過程で、この飲料水が水素分子を豊富に含む機能水になって供給される趣旨の記載がある。【０００３】  マグネシウム粒を水に接触させると、特許文献１の段落「００１５」に記載の化学式に示すように、自然界では存在しない分子水素Ｈ２を生成させることができ、分子水素Ｈ２を含む水の効用は、例えば、同文献の段落「００２０」、特許文献２の段落「０００３」〜段落「０００７」等に記載のとおりである。【０００４】  水に溶け込んだ分子水素は放散し易く、長時間保管しておくことができない不具合があり（特許文献３の段落「０００４」に記載）、このため、従来では、マグネシウム粒を収容した透水性容器を、飲料水ボトルの開栓時に投入させる方法が採られていた。【０００５】  特許文献３に記載の飲料ボトルは、キャップを開栓方向に回して、キャップベースから外したときに、キャップの筒状体の下端から底蓋が外れて、マグネシウム粒を収納したディスプレイ容器が飲料水の中に落下させる構造とされている（段落「００１８」）。【０００６】  特許文献２においては、マグネシウム粒を収納したＰＰ焼結樹脂材製の多孔質容器をボトル内の飲料水の中に予め投入させる方法で、分子水素Ｈ２の生成時間が制御させている。【０００７】
【特許文献１】実用新案登録第３１２８６１２号公報
【特許文献２】特開２００７−１６７６９６号公報
【特許文献３】実用新案登録第３１１８２６２号公報
【考案が解決しようとする課題】
【０００８】  しかしながら、特許文献１に記載の如き、ウォータサーバのウォータタンク内にマグネシウム粒からなる分子水素発生源を配置させる技術によれば、ウォータサーバから飲料水を供給する頻度が増すと、ウォータガロンボトル内の飲料水がウォータタンク内で分子水素が生成されるまでに飲用される等の不具合がある。また、マグネシウム粒の消費の目安に検討がつかず、分子水素の効用がない飲料水を知らずに飲用するおそれもある。
【０００９】  特許文献２に記載の如き、ＰＰ焼結樹脂材製の多孔質容器をボトル内の飲料水の中に予め投入させる技術は、ＰＰ焼結樹脂材製の多孔質容器の製造コストが高価であり、しかもセラミックによる多孔質は、洗浄しても目詰まりを解消させることが出来ないため、１回使用限りの使い捨ての容器になっており、この点においてもコスト高を招いている。
【００１０】  特許文献３の飲料ボトルは、飲料ボトルを正立させた状態で、キャップを開栓方向に回したときにマグネシウム粒を収納したディスプレイ容器を飲料水の中に落下させる構造であるため、この構造はウォータガロンボトルを上下逆向けにした姿勢で飲料水供給サーバに保持させる場合には適用できない。
【００１１】  ペットボトルを開栓して該ボトル内の飲料水の中にマグネシウム粒を収納したスティック状の容器を投入させることは、消費者にとって面倒である。
【００１２】  本考案は、これらの不具合を解消するために提案されたものであり、ウォータガロンボトルを上下逆さに向けて飲料水供給サーバに保持させた際に、該ボトル内の飲料水中に天然鉱物粒を押出して供給し得る技術であり、該ボトルの容量に見合った程度の機能を生成するための天然鉱物粒を供給し、天然鉱物粒には、例えば、マグネシウム鉱物粒が挙げられ、これらは従来では見られない新規な技術である。
【課題を解決するための手段】
【００１３】  本考案請求項１に係るウォータガロンボトルの天然鉱物粒供給構造は、
ウォータガロンボトルを上下逆向きにして飲料水供給サーバの嵌合受部に保持させた際に、該ボトル内の飲料水中に天然鉱物粒を供給し得るウォータガロンボトルの天然鉱物供給構造であって、
前記ウォータガロンボトルのボトル口部に被着されるボトルキャップは、ボトル口部に被着される外壁部の前端面中央から後方に向けて吐水用の内筒部を有するボトルキャップ本体と、該内筒部の後端口に後方から押込み嵌挿された底蓋又は底栓とを主要構成部材として成り、
該内筒部の出口に相当する前記ボトルキャップ前端面中央に形成された開口部は、シール材又はシュリンクフィルムで開封可能に封止され、
前記前記天然鉱物粒を内部に収納した水の出入を自由にさせる多孔又は網目を有する天然鉱物粒収納容器が、前記シール材又はシュリンクフィルムと前記底蓋により両端部が封止された前記内筒部内に配されて、
該シール材又はシュリンクフィルムを開封して前記ウォータガロンボトルを前記嵌合受部に保持させた際に、該嵌合受部内に設けられている開蓋部材が前記内筒部内に突入して、前記容器又は袋体が前記底蓋とともに、前記ウォータガロンボトル内の飲料水中に押出供給されて、前記天然鉱物粒が該飲料水に接触し得る構造されているところに特徴がある。
【００１４】  請求項１に係るウォータガロンボトルの天然鉱物粒供給構造は、ウォータガロンボトルを上下逆向きにして飲料水供給サーバの嵌合受部に保持させた際に、該嵌合受部の内側中央から上方に突出している開栓部材の先端部が天然鉱物粒収納容器に当接して、天然鉱物粒収納容器と底蓋を上方に押し上げて、天然鉱物粒収納容器と底蓋をウォータガロンボトル内の飲料水の中に押出供給される。
或いは、前記開栓部材の先端部が底蓋の立設部の下端部に当接して、天然鉱物粒収納容器と底蓋を上方に押し上げて、天然鉱物粒収納容器と底蓋をウォータガロンボトル内の飲料水の中に押出供給される。
【００１５】  このようにして飲料水の中に天然鉱物粒収納容器が配されると、天然鉱物粒収納容器内に飲料水が流通して、天然鉱物粒収納容器内に収納されている天然鉱物粒が飲料水に接触して、天然鉱物粒に含まれる成分が飲料水と化学反応して、飲料水を健康に良いとされる高機能水になる。
【００１６】  天然鉱物粒は、例えば、次の請求項２に記載の如き、マグネシウム鉱物粒又はマグネシウム鉱物粒を主材料とした複数種類の天然鉱物粒が挙げられ、マグネシウム鉱物粒が水と接触することにより高機能水になることは、前述のとおりである。
【００１７】  マグネシウム鉱物粒以外の前記天然鉱物粒としては、例えば、有機ゲルマニウム、ナトリウム、カルシウム、カリウム、鉄分等が挙げられ、有機ゲルマニウムは、体内の悪玉の水素イオンＨ＋を排除し、赤血球の流れを正常にし、過酸化皮体質を改善し、疾患部、生体内の電位移動を抑え、疲労、老化要因を除去し、細胞に活力を与える等の効用があることが、周知とされている。
【００１８】  請求項３〜６に係る天然鉱物粒収納容器は、いずれも請求項１又は２に記載のウォータガロンボトルの天然鉱物粒供給構造に用いられる前記天然鉱物粒収納容器であり、その内部に天然鉱物粒を再収納して、再利用可能な構造とされている。
【００１９】  例えば、請求項３に係る天然鉱物粒収納容器は、使用済の空になった前記ウォータガロンボトルの回収後、前記天然鉱物粒を未使用のものと交換したり追加補充等をしたりして、繰り返し再収納可能となるように、片側が開口した容器本体と該開口を閉じる蓋部材とを具備している。
【００２０】  請求項４に係る天然鉱物粒収納容器は、請求項３に記載の構成の上、更に、前記内筒部内に押圧止着させる弾撥部材を更に具備している。
【００２１】  請求項５は、請求項１又は２に記載のウォータガロンボトルの天然鉱物粒供給構造において用いられる前記天然鉱物粒収納容器であって、前記底蓋に一体となって組み付けられる構造を有しているところに特徴がある。
【００２２】  請求項６は、請求項１又は２に記載のウォータガロンボトルの天然鉱物粒供給構造において用いられる前記天然鉱物粒収納容器であって、紙繊維又は合成樹脂繊維による通水性を有する織布又は不織布製による袋状の収納容器であるところに特徴がある。
【考案の効果】
【００２３】  本考案に係るウォータガロンボトルの天然鉱物粒供給構造及び天然鉱物粒収納容器は、ウォータガロンボトル内の飲料水を、ウォータサーバに保持させたときに、ボトルキャップ内に保持されている天然鉱物粒収納容器が、ボトルキャップの底蓋とともに、ウォータガロンボトル内の飲料水の中に押出し供給されるという、使い勝手の良い構造になっている。しかも、ボトルキャップや底蓋を、従来タイプのものをそのまま利用できる点において、簡易かつ低コストで実現できる構造になっている。さらに、天然鉱物粒収納容器をボトルキャップの内筒部内に、該内筒の両端を密封した状態で不用意に動いたり脱落しないように収納されているため、衛生的であり、不用意な脱落による不良品の発生を防止し得る。また、天然鉱物粒収納容器が繰り返し再利用できる。
【考案を実施するための最良の形態】
【００２４】  本考案を実施するための最良の形態は、次の実施例により更に明確に理解されるであろう。
【実施例】
【００２５】  以下、本考案に係るウォータガロンボトルの天然鉱物粒供給構造の好適な実施形態を添付図面に沿って詳述する。【００２６】  図１は本考案に係るウォータガロンボトルの天然鉱物粒供給構造を一部に断面部分を含む正面図で示している。【００２７】  ウォータガロンボトル（以下、ボトルと略称する。）２内には飲料水Ｗが充填されて、ボトル口部２ａにはボトルキャップ３が被着されて止栓されている。ボトルキャップ３は、キャップ本体４と底蓋５とが主要構部材としており、キャップ本体４の内側には内筒部４ｂが一体形成されている。そして、キャップ本体４の内側上面にはドーナツ形状のパッキン６が配されている。【００２８】  内筒部４ｂはボトル２の内側と外部とを開放状態に連絡させるが、内筒部４ｂの奥端が底蓋５により密閉状態に止栓されているため、ボトル２の横倒し姿勢や上下逆向きの姿勢においては、ボトル２内の飲料水Ｗが外部に流失することはない。内筒部４ｂ内には、天然鉱物粒を内部に収納した水の出入を自由にさせる多孔又は網目を有する天然鉱物粒収納容器１０が収容されている。【００２９】  内筒部４ｂの出口になるボトルキャップ前端面中央に形成された開口部４ｆは、防水機能を有するシール材７で封止されて、未使用状態にある内筒部４ｂ内を気密状態にさせて衛生状態を維持させ、天然鉱物粒収納容器１０の不用意な脱落を防止させている。
シール材７に代えて、ボトルキャップ３全体をシュリンクフィルムで覆って開口部４ｆを封止させてもよい。【００３０】  図２はボトルキャップを斜上方から見た分解斜視図で、図３は斜上方から見た分解斜視図で、図４は分解正面断面図で、図５は正面断面図で、夫々示している。【００３１】  図２乃至図５に示すように、キャップ本体４は、ボトル口部２ａを覆う形状を有する外壁部４ａを有し、外壁部４ａで囲まれた内側には内筒部４ｂが一体形成されている。
キャップ本体４の外壁部４ａにおける周壁面には下方に向けた舌片４ｂが延出し、舌片４ｂから周壁面を周回する方向に引き裂き用の溝４ｃが設けられており、飲料水を使いきって空になったボトルを再利用のため回収したときに、キャップ本体４を引き裂いて破棄できるようにしてある。【００３２】  底蓋５は、内筒部４ｂの奥端（図３〜図５では下端に相当する。）に位置する開口を、外側方向、即ち下方から、圧挿による気密状態に止栓している。
底蓋５は、底栓と言い換えることも出来、内筒部４ｂを止栓した状態にある底蓋５の不用意な離脱を防止させるため、底蓋５の立設部５ｂは狭い空間５ｅを介在させた２層構造に成形されて弾發力を保有させ、更に、立設部５ｂと内筒部４ｂの内壁とは、更に凹凸による係止で不用意な離脱を更に防止させている。【００３３】  図６（ａ）は天然鉱物粒収納容器を筒内に収容保持させたボトルキャップの平面図、（ｂ）は天然鉱物粒収納容器を保持させたボトルキャップをボトル口部とともに示した正面断面図である。【００３４】  図６（ａ）及び（ｂ）に示すように、天然鉱物粒収納容器１１内には、例えば、マグネシウム粒Ｍが複数個収納されている。内筒部４ｂ内に配された天然鉱物粒収納容器１０は、３方に広がる板ばね状の弾撥部材１３ｄ・・を内筒部４ｂの内壁に押圧止着させる方法で、内筒部４ｂ内に保持されている。【００３５】  図７は天然鉱物粒収納容器の斜視図、図８は開蓋した状態の天然鉱物粒収納容器と天然鉱物粒を示した斜視図であり、これらの図に示すように、空の状態の天然鉱物粒収納容器１１は、使用済のウォータガロンボトルを回収後、前記天然鉱物粒Ｍを未使用のものと交換したり追加補充を行なう等して、繰り返し再収納可能となるように、片側が開口した容器本体１２と該開口を閉じる蓋部材１３とが組み付けられたものである。【００３６】  図７及び８に示す容器本体１２は、内部に水を流通させるための多数の孔１２ｂ，１２ｂ・・が開設されたパンチングメタルを六角状の容器になるようにプレス成形したものである。図示していないが、網かご状の容器本体１２であっても構わない。
図７及び図８に示す蓋部材１３は、容器本体１２の開口１２ｃを覆う金属製の六角蓋であり、３方の側壁１３ｂ・・に弾撥部材１３ｄ・・が一体形成され、他の３方の側壁１３ｅ・・は、容器本体１２の側壁に弾性力を持たせて挟み付けて、容器本体１２に取り付けた蓋部材１３が不用意に離脱しないようにしてある。【００３７】  図９（ａ）はボトルキャップをウォータガロンボトルに装着した未使用状態の斜視図、（ｂ）はボトルキャップ上面に貼着されているシール材の開封途上状態にある斜視図である。【００３８】  図９（ａ）及び（ｂ）に示すように、シール材７はボトルキャップ３の上面４ｄに、粘着剤層７ａによる粘着力で貼着されている。シール材７を剥がすと、ボトルキャップ３の上面４ｄにある開口部４ｆとともに内筒部４ｂ内に配された天然鉱物粒収納容器１０が露見する。ボトル２を上下逆向きにしてウォータサーバ上部の嵌合受部内に保持させる直前にシール材７は剥がされる。【００３９】  図１０はウォータガロンボトルを上下逆向きにして示した部分正面断面図であり、この図に示すように、シール材７が剥がされた状態のボトル２を上下逆向きにしても、内筒部４ｂ内に配された天然鉱物粒収納容器１０は、弾撥部材１３ｄ・・が内筒部４ｂの内壁に押圧止着しているため、落下することはない。【００４０】  図１１は上下逆向きにしたウォータガロンボトルをウォータサーバ上部の嵌合受部内に突入させる途上で示した部分正面断面図、図１２は天然鉱物粒収納容器をウォータガロンボトル内の飲料水中に配した状態の正面部分断面図である。【００４１】  図１１に示すように、ボトル２を上下逆向きにして、ボトル口部２ａをウォータサーバ上部の嵌合受部２１の内側に突入させると、嵌合受部２１の内側中央から上方に突出している開栓部材２２の先端部が天然鉱物粒収納容器１０に当接して、天然鉱物粒収納容器１０と底蓋５を上方に押し上げて、図１２に示すように、天然鉱物粒収納容器１０と底蓋５をボトル２内の飲料水Ｗの中に押出供給される。
これにより、天然鉱物粒収納容器１０内に飲料水Ｗが流通して、天然鉱物粒収納容器１０内の天然鉱物粒Ｍが飲料水Ｗに接触し得る状態になる。
天然鉱物粒収納容器１０は、上下逆向きにしたボトル２の下部内に位置するため、ボトル２内の飲料水Ｗを使い切るまで飲料水Ｗに接触した状態が維持される。【００４２】  ボトル２内の飲料水Ｗが無くなると、空のボトル２は、ボトル口部２ａにボトルキャップ３を装着した状態のまま、また、ボトル２内に天然鉱物粒収納容器１０を残したまま、回収される。天然鉱物粒収納容器１０には３方に広がる弾撥部材１３ｄ・・があるため、ボトル口部２ａにボトルキャップ３を装着している限り、回収中に天然鉱物粒収納容器１０が外部に落下することはない。【００４３】  そして、回収後、ボトル口部２ａからボトルキャップ３を引き剥がして除去し、その後、ボトル２内から天然鉱物粒収納容器１０を取り出して、洗浄後、天然鉱物粒Ｍを再収納して、新たに出荷するボトル２のボトルキャップ３に装着される。このように、天然鉱物粒収納容器１０（正確には空の天然鉱物粒収納容器１１）は、繰り返しリサイクル可能とされている。【００４４】  図１３は他の実施形態による天然鉱物粒収納容器を用いたウォータガロンボトルの天然鉱物粒供給構造を示した正面部分断面図、図１４は同じく天然鉱物粒収納容器をウォータガロンボトル内の飲料水中に配した状態の正面部分断面図である。【００４５】  図１３及び図１４においては、底蓋４０に一体となって組み付けられた天然鉱物粒収納容器３０が用いられている。であって、
この天然鉱物粒収納容器３０は、上方を開放させた有底円筒形状の容器本体３１の上部が、底蓋４０で蓋される構造とされ、底蓋４０の立設部４０における内周壁と、容器本体３１の外周上部とが、ねじ係合により組み付けられている。
容器本体３１は、多数の小孔が開設されたプラスチック製のものが挙げられる。
【図面の簡単な説明】
【００４６】
【図１】本考案に係るウォータガロンボトルの天然鉱物粒供給構造を示した一部に断面部分を含む正面図。
【図２】ボトルキャップを斜上方から見た分解斜視図。
【図３】ボトルキャップを斜上方から見た分解斜視図。
【図４】ボトルキャップの分解正面断面図。
【図５】ボトルキャップの正面断面図。
【図６】（ａ）は天然鉱物粒収納容器を筒内に収容保持させたボトルキャップの平面図、（ｂ）は天然鉱物粒収納容器を保持させたボトルキャップをボトル口部とともに示した正面断面図。
【図７】天然鉱物粒収納容器の斜視図。
【図８】開蓋した状態の天然鉱物粒収納容器と天然鉱物粒を示した斜視図。
【図９】（ａ）はボトルキャップをウォータガロンボトルに装着した未使用状態の斜視図、（ｂ）はボトルキャップ上面のシール材を開封途上状態で示した斜視図。
【図１０】ウォータガロンボトルを上下逆向きにして示した部分正面断面図。
【図１１】上下逆向きにしたウォータガロンボトルをウォータサーバ上部の嵌合受部内に突入させる途上で示した部分正面断面図。
【図１２】天然鉱物粒収納容器をウォータガロンボトル内の飲料水中に配した状態の正面部分断面図。
【図１３】他の実施形態による天然鉱物粒収納容器を用いたウォータガロンボトルの天然鉱物粒供給構造を示した正面部分断面図。
【図１４】同じく天然鉱物粒収納容器をウォータガロンボトル内の飲料水中に配した状態の正面部分断面図。
【符号の説明】
【００４７】  １
２    ウォータガロンボトル（ボトル）
２ａ  ボトル口部
３    ボトルキャップ
４    キャップ本体
４ｂ  内筒部
５    底蓋
６    パッキン
１０    天然鉱物粒収納容器
Ｍ    天然鉱物粒
Ｗ    飲料水
２１  （ウォータサーバ上部の）嵌合受部
２３  開栓部材
【図１】
0003153343.tif 000003
【図２】
0003153343.tif 000004
【図３】
0003153343.tif 000005
【図４】
0003153343.tif 000006
【図５】
0003153343.tif 000007
【図６】
0003153343.tif 000008
【図７】
0003153343.tif 000009
【図８】
0003153343.tif 000010
【図９】
0003153343.tif 000011
【図１０】
0003153343.tif 000012
【図１１】
0003153343.tif 000013
【図１２】
0003153343.tif 000014
【図１３】
0003153343.tif 000015
【図１４】
0003153343.tif 000016